(57)【要約】【課題】水平部と傾斜部とを現場で容易かつ強固に接合することができるベント梁、このベント梁を用いた小屋組構造および小屋組構築方法を提供する。【解決手段】水平部１２の一端面１２ａに形成された第１溝１４と傾斜部１３の一端面１３ａに形成された第２溝１８とに接合板２５を挿入し、この接合板２５を水平部１２、傾斜部１３の一方の側面から他方の側面に向けて挿通される止着部材２６によって固定するので、水平部１２と傾斜部１３とを現場で容易に接合できる。【選択図】図１
2007211509.tif 000002
【特許請求の範囲】
【請求項１】
水平方向に配設される水平部と、この水平部の一端に接合され、屋根勾配に対する傾斜角で配設される傾斜部とを備えたベント梁において、
前記水平部の一端面に第１溝が形成され、前記水平部の一端面に接合される前記傾斜部の一端面に第２溝が前記第１溝と対向して形成され、
前記第１溝と第２溝とに金属製の接合板が挿入されており、この接合板は前記水平部の一方の側面から他方の側面に向けて挿通される止着部材が貫通することによって前記水平部に固定され、前記傾斜部の一方の側面から他方の側面に向けて挿通される止着部材が貫通することによって前記傾斜部に固定されていることを特徴とするベント梁。
【請求項２】
請求項１に記載のベント梁において、
前記接合板は、前記水平部または傾斜部のうちの一方に予め固定されており、現場で他方に固定されることを特徴とするベント梁。
【請求項３】
請求項１または２に記載のベント梁を備えた建物の小屋組構造において、
第１の支持構造体と、この第１の支持構造体と所定間隔をあけて設けられた第２の支持構造体とに、前記ベント梁が架設されていることを特徴とする小屋組構造。
【請求項４】
請求項３に記載の建物の小屋組構造において、
前記ベント梁を構成する水平部と傾斜部の接合部には、前記ベント梁と直交して設けられた母屋が固定されていることを特徴とする小屋組構造。
【請求項５】
請求項２に記載のベント梁を用いて建物の小屋組を構築する小屋組構築方法において、
小屋組を構成する第１の支持構造体と、この第１の支持構造体と所定間隔をあけて第２の支持構造体とを設け、
次に、前記第１の支持構造体に、前記水平部または傾斜部のうち予め接合板が固定された方の接合板付き部材の他端部を固定し、
次に、前記第２の支持構造体に、前記接合板が固定されていない方の接合板無し部材の他端部を固定するとともに、この接合板無し部材の一端部を前記接合板付き部材の一端部に、前記接合板によって接合することを特徴とする小屋組構築方法。
【発明の詳細な説明】
【技術分野】
【０００１】
本発明は、屋根の小屋組構造に用いられるベント梁、これを用いた小屋組構造および小屋組構築方法に関する。
【背景技術】
【０００２】
屋根の小屋組構造に用いられるベント梁の一例として、特許文献１に記載のものが知られている。このベント梁は、第１屋根面の勾配に対して直交する方向に沿って伸長する水平部と、この水平部の一端に所定角度をもって予め接合され、第２屋根面の勾配に沿って傾斜する傾斜部とを有しており、水平部と傾斜部との接合部の側面には、補強材としてガセットが接着剤や釘によって固定されている。
そして、このようなベント梁は、接合部を挟んだ両端部側で軒げたと束とにそれぞれ支持され、かつ接合部においてベント梁を下方より支持する束部材を有さず、接合部の下方に小屋裏空間が確保されるので、部材数や工程数を減少させることができると共に屋根部分内部には十分に広い空間が確保され、いわゆる小屋裏空間である屋根裏部分の空間の有効利用を図ることができる。
【特許文献１】特許第２５３５６５６号公報
【発明の開示】
【発明が解決しようとする課題】
【０００３】
ところで、上記のような従来のベント梁では、水平部と傾斜部とを合板で形成されたガセットによって接合している。したがって、接合部に十分な強度を得るために、ガセットを水平部と傾斜部のそれぞれの両側面に当て、接着剤と釘の双方によって強固に固定している。
このように、ガセットの固定は接着剤を釘と併用しており、現場では接着剤の硬化時間を十分にとれないため、工場等で予め水平部と傾斜部とをガセットによって接合してベント梁を形成し、このベント梁を現場に搬入している。
現場に搬入されたベント梁は、クレーン等で吊り下げて、建物躯体に取り付けられるが、このベント梁は水平部と傾斜部とを有する長い梁であり、略へ字型に曲がっているので、上方に凸の略へ字型の姿勢を保持しながら安定的に吊り下げるのは容易でなく、ベント梁の建物躯体への組み付け作業に手間を要していた。
また、略へ字型のベント梁をトラック等で搬送する場合、該ベント梁を寝かせてその側面をトラックの荷台に載せるようにする場合があるが、この場合、ベント梁の接合部にはガセットが固定されているので、ベント梁がトラックの荷台でガタツク恐れがあるため、ベント梁の側面と荷台との間にガセットの厚さ分だけのスペーサを介在させたりするなどの手間が必要であった。
【０００４】
本発明は上記事情に鑑みてなされたもので、水平部と傾斜部とを現場で容易かつ強固に接合することができるベント梁、このベント梁を用いた小屋組構造および小屋組構築方法を提供することを課題としている。
【課題を解決するための手段】
【０００５】
上記課題を解決するために、請求項１に記載の発明は、例えば図１〜図４に示すように、水平方向に配設される水平部１２と、この水平部１２の一端に接合され、屋根勾配に対する傾斜角で配設される傾斜部１３とを備えたベント梁１０において、
前記水平部１２の一端面１２ａに第１溝１４が形成され、前記水平部１２の一端面１２ａに接合される前記傾斜部１３の一端面１３ａに第２溝１８が前記第１溝１４と対向して形成され、
前記第１溝１４と第２溝１８とに金属製の接合板２５が挿入されており、この接合板２５は前記水平部１２の一方の側面から他方の側面に向けて挿通される止着部材２６が貫通することによって前記水平部１２に固定され、前記傾斜部１３の一方の側面から他方の側面に向けて挿通される止着部材２６が貫通することによって前記傾斜部１３に固定されていることを特徴とする。
【０００６】
請求項１に記載の発明によれば、水平部１２と傾斜部１３のそれぞれの一端面１２ａ，１３ａに形成されている第１溝１４と第２溝１８とに接合板２５を挿入し、止着部材２６を水平部１２と傾斜部１３のそれぞれの一方の側面から他方の側面に向けて挿通して接合板２５を貫通させて、該接合板２５を水平部１２と傾斜部１３に固定するので、接合板２５と止着部材２６を用いて、水平部１２と傾斜部１３とを現場で容易に接合できる。
また、現場で水平部１２と傾斜部１３とを接合できるので、水平部１２と傾斜部１３とをそれぞれクレーン等で安定的に吊り下げて建物躯体１に取り付けることができる。
さらに、水平部１２と傾斜部１３とを現場で容易に接合できるので、ベント梁１０，１１を水平部１２と傾斜部１３とに分割して搬送できるとともに、水平部１２と傾斜部１３との接合部となる部分に従来のようなガセットがないので、スペーサを介在させたりするなどの手間がかからない。
【０００７】
請求項２に記載の発明は、請求項１に記載のベント梁において、
前記接合板２５は、前記水平部１２または傾斜部１３のうちの一方に予め固定されており、現場で他方に固定されることを特徴とする。
【０００８】
請求項２に記載の発明によれば、接合板２５が水平部１２または傾斜部１３のうちの一方に予め固定されており、現場で他方に固定されるので、接合板２５の水平部１２または傾斜部１３への固定作業の一方を現場で省略できるので、現場での水平部１２と傾斜部１３の接合作業が容易となる。
【０００９】
請求項３に記載の発明は、請求項１または２に記載のベント梁を備えた建物の小屋組構造において、
第１の支持構造体（敷げた６、束７ａ，７ｂ）と、この第１の支持構造体と所定間隔をあけて設けられた第２の支持構造体（軒げた５）とに、前記ベント梁１０，１１が架設されていることを特徴とする。
【００１０】
請求項３に記載の発明によれば、第１の支持構造体と第２の支持構造体とに架設されるベント梁１０，１１を構成する水平部材１２と傾斜部材１３とを接合板２５と止着部材２６を用いて現場で容易に接合できる。
また、第１の支持構造体と第２の支持構造体とにベント梁１０，１１が架設されているので、ベント梁１０，１１の中間部を下方から支持するような束部材等を有さず、接合部の下方に小屋裏空間が確保されるので、部材数や工程数を減少させることができるとともに、小屋裏空間に広い空間を確保し得て、いわゆる小屋裏空間である屋根裏部分の空間の有効利用を図ることができる。
【００１１】
請求項４に記載の発明は、請求項３に記載の建物の小屋組構造において、
前記ベント梁１０，１１を構成する水平部１２と傾斜部１３の接合部には、前記ベント梁１０，１１と直交して設けられた母屋４０が固定されていることを特徴とする。
【００１２】
請求項４に記載の発明によれば、水平部１２と傾斜部１３との接合部に母屋４０が固定されているので、該接合部の強度を向上させることができるとともに、ベント梁１０，１１の設置状態が安定的なものとなる。
【００１３】
請求項５に記載の発明は、請求項２に記載のベント梁を用いて建物の小屋組を構築する小屋組構築方法において、
小屋組を構成する第１の支持構造体と、この第１の支持構造体と所定間隔をあけて第２の支持構造体とを設け、
次に、前記第１の支持構造体（敷げた６、束７ａ，７ｂ）に、前記水平部材１２または傾斜部材１３のうち予め接合板２５が固定された方の接合板付き部材（例えば水平部材１２）の他端部を固定し、
次に、前記第２の支持構造体（軒げた５）に、前記接合板２５が固定されていない方の接合板無し部材（例えば傾斜部材１３）の他端部を固定するとともに、この接合板無し部材の一端部を前記接合板付き部材の一端部に、前記接合板２５によって接合することを特徴とする。
【００１４】
請求項５に記載の発明によれば、第１の支持構造体に、水平部１２または傾斜部１３のうち予め接合板２５が固定された方の接合板付き部材（水平部１２または傾斜部１３）の他端部を固定した後、第２の支持構造体に、接合板２５が固定されていない方の接合板無し部材（水平部１２または傾斜部１３）の他端部を固定するとともに、この接合板無し部材の一端部を接合板付き部材の一端部に接合板によって接合するので、接合板２５の水平部１２または傾斜部１３への固定作業の一方を現場で省略でき、よって、現場での水平部１２と傾斜部１３の接合作業が容易となる。
【発明の効果】
【００１５】
本発明によれば、水平部と傾斜部のそれぞれの一端面に形成されている第１溝と第２溝とに接合板を挿入し、止着部材を水平部と傾斜部のそれぞれの一方の側面から他方の側面に向けて挿通して接合板を貫通させて、該接合板を水平部と傾斜部に固定するので、接合板と止着部材を用いて、水平部と傾斜部とを現場で容易に接合できる。
また、接合板の水平部または傾斜部への固定作業の一方を現場で省略できるので、現場での水平部と傾斜部の接合作業が容易となる。
【発明を実施するための最良の形態】
【００１６】
以下、図面を参照して本発明の実施の形態について説明する。
図１は、軸組みで構築された建物躯体上に、本発明にかかるベント梁を用いた寄せ棟屋根用の小屋組構造を示す斜視図である。
建物躯体１は、土台２上に立設された柱３、これらの柱３の間にそれぞれ立設された間柱４、各柱上に取り付けられる軒げた５及び敷げた６から構成されている。
【００１７】
次に、建物躯体１上に形成された寄せ棟屋根のための小屋組み構造について説明する
本実施の形態では、平行離間して配置された２本のベント梁１０，１０とこれらベント梁１０，１０間に配置されたベント梁１１との合計３本のベント梁１０，１０，１１が設置されている。そして、これらのベント梁１０，１０，１１を支持するための支持構造体として、軒げた５および敷げた６に立設された束７ａ，７ａ，７ｂが用いられている。
すなわち、ベント梁１０，１０，１１は、それぞれ建物躯体１の梁間方向に伸長する軒げた５と、敷きげた６に立設された束７ａ，７ａ，７ｂとの間に架設され、小屋組上に構築される寄せ棟の屋根部（図示せず）を支持している。
【００１８】
次に、前記ベント梁１０について説明する。
すなわち、図１〜図４に示すように、ベント梁１０は略へ字型に形成されたものであり、水平方向に配設される水平部１２と、この水平部１２の一端に接合され、屋根勾配に対する傾斜角で配設される傾斜部１３とを備えている。
水平部１２は左右に長尺な木質の梁状に形成されており、その一端面１２ａは上面に対して鋭角に傾斜している。この一端面１２ａには２本の第１溝１４，１４が互いに平行にかつ所定間隔をもって形成されている。この２本の第１溝１４，１４は平面視において、水平部１２の厚さ方向中心部を境として対称的に配置されている。また、第１溝１４は水平部１４の上面から下面まで貫通して形成されている。
水平部１２の一端部の側面には該水平部１２を厚さ方向に貫通する貫通孔１５が複数形成されている。これら貫通孔１５は、水平部１２の側面視において、該水平部１２の一端面１２ａと第１溝１４の底面との間において形成されている。
また、水平部１２の他端面１２ｂには凹溝状の切欠部１６が形成されており、この切欠部１６の底面にはスリット１７，１７が形成されている。
【００１９】
傾斜部１３は、屋根の傾斜方向に長尺な木質の梁状に形成されており、その一端面１３ａは上面に対して鋭角に形成している。傾斜部１３の一端面１３ａは、水平部１２の一端面１２ａに接合される面であり、該一端面１２ａと同じ形状、面積に設定されている。また、傾斜部１３の一端面１３ａを、水平部１２の一端面１２ａに接合することによって、傾斜部１３は水平部１２に対して所定の角度（屋根勾配）で接合されるようになっている。傾斜部１３の一端面１３ａには２本の第２溝１８，１８が互いに平行にかつ所定間隔をもって、さらに、前記第１溝１４，１４と対向して形成されている。この２本の第２溝１８，１８は平面視において、傾斜部１３の厚さ方向中心部を境として対称的に配置されている。また、第２溝１８は傾斜部１３の上面から下面まで貫通して形成されている。
傾斜部１３の一端部の側面には該傾斜部１３を厚さ方向に貫通する貫通孔１９が複数形成されている。これら貫通孔１９は、傾斜部１３の側面視において、該傾斜部１３の一端面１３ａと第２溝１８の底面との間において形成されている。
また、傾斜部１３の他端面１３ｂには凹溝状の切欠部２０が形成されており、この切欠部２０の底面にはスリット２１，２１が形成されている。
【００２０】
前記水平部１２の第１溝１４，１４には、接合板２５，２５が挿入されている。この接合板２５は鉄板で形成された五角形板状のものであり、その右側半分が第１溝１４に挿入され、左側半分は水平部１２の一端面１２ａから突出している。また、接合板２５の右側半分の下部は水平部１２の下面から突出している。接合板２５の右側半分には、貫通孔２５ａが複数形成されている。これら貫通孔２５ａは水平部１２に形成された貫通孔１５と対向して、貫通孔１５の数と同数形成されている。そして、この貫通孔１５に円柱状に形成された止着部材２６を、水平部１２の一方の側面から他方の側面に向けて挿通するとともに、前記貫通孔２５ａに挿通することによって、接合板２５の右側半分が水平部１２に固定されている。なお、止着部材２６は前記貫通孔１５および貫通孔２５ａより若干太めに形成されており、水平部１２の一方の側面から他方の側面に向けて貫通孔１５，２５ａに圧入されている。これによって、接合板２５の右側半分は第１溝１４に挿入された状態で水平部１２に強固に固定されている。
また、このような水平部１２への接合板２５の固定は、工場等で予め行われている。したがって、水平部１２は接合板２５が固定されるとともにその左半分が水平部１２の一端面１２ａから突出した状態で現場に搬入される。
なお、本実施の形態では、接合板２５を五角形板状に形成したが、接合板２５の形状はこれに限ることなく、例えば、水平部１２と傾斜部１３とで構成されるベント梁１０に形状に沿った略へ字型の板状に形成してもよい。このようにすれば、ベント梁１０の接合部（水平部１２と傾斜部１３の接合部）の下方に接合板が突出することがないので、その分小屋裏空間を広くとることができる。また、本実施の形態のように接合板２５を五角形板状にする場合、へ字型のものに比して接合板２５を板材から製造する際の加工が簡単であるとともに、上下の方向の長さが長くなるのでベント梁１０の接合部が強度的に有利となる。
【００２１】
前記水平部１２の一端面１２ａには、現場で傾斜部１３の一端面１３ａが接合されるとともに、傾斜部１３の第２溝１８，１８に、接合板２５，２５の左側半分が現場で挿入されている。また、第２溝１８に挿入されている接合板２５の左側半分の下部は傾斜部１３の下面から突出している。接合板２５の左側半分には、貫通孔２５ｂが複数形成されている。これら貫通孔２５ｂは傾斜部１３に形成された貫通孔１９と対向して、貫通孔１９の数と同数形成されている。そして、この貫通孔１９に止着部材２６を、傾斜部１３の一方の側面から他方の側面に向けて挿通するとともに、前記貫通孔２５ｂに挿通することによって、接合板２５の左側半分が傾斜部１３に固定されている。なお、止着部材２６は前記貫通孔１９および貫通孔２５ｂより若干太めに形成されており、傾斜部１３の一方の側面から他方の側面に向けて貫通孔１９，２５ｂに圧入されている。これによって、接合板２５の左側半分は第２溝１８に挿入された状態で傾斜部１３に強固に固定されている。
このように、水平部１２と傾斜部１３とは接合板２５，２５と止着部材２６によって現場で強固に接合され、これによってベント梁１０が構成されている。
【００２２】
なお、前記ベント梁１１はその水平部１２と傾斜部１３の長さが、ベント梁１０の水平部１２と傾斜部１３の長さと異なるだけで、その他の構成はベント梁１０と同様であるので、同一部分には同一符号を付してその説明を省略する。
【００２３】
次に、前記ベント梁１０，１１を用いて構成された小屋組構造について説明する。
すなわちまず、敷げた６とこれに立設された３本の束７ａ，７ａ，７ｂが第１の支持構造体を構成しており、軒げた５が第２の支持構造体を構成している。そして、束７ａ，７ａと軒げた５とに、ベント梁１０，１０が架設されている。また、束７ｂと軒げた５とにベント梁１１が架設されている。
【００２４】
ベント梁１０の水平部１２の他端面（右端面）１２ｂは束７ａの上端側面に以下のようにして固定されている。すなわち、図３に示すように、水平部１２の他端面１２ｂに形成されたスリット１７，１７には接合金具３０が挿入されている。この接合金具３０は平面視略コ字型に形成されたもので、その両片部３０ａ，３０ａがそれぞれ前記スリット１７，１７に挿入され、両片部３０ａ，３０ａをつなぐ連結部３０ｂが水平部１２の他端面１２ｂと面一となっている。また、水平部１２の他端部側面には、該水平部１２の厚さ方向に貫通する貫通孔３１が複数形成されており、接合金具３０の両片部３０ａ，３０ａには貫通孔３１と対向して貫通孔３０ｃや溝３０ｄが形成されている（図２参照）。そして、貫通孔３１に止着部材２６を、水平部１２の一方の側面から他方の側面に向けて挿通するとともに、前記貫通孔３０ｃや溝３０ｄに挿通することによって、接合金具３０が水平部１２の他端面１２ｂに固定されている。
また、束７ａには締結ボルト３２が挿通されており、この締結ボルト３２の先端部は接合金具３０の連結部３０ｂに挿通され、この先端部にナット３３が螺合されて締め付けられている。このようにして、ベント梁１０の水平部１２の他端面（右端面）１２ｂは束７ａの上端側面に固定されている。
【００２５】
一方、ベント梁１０の傾斜部１３の他端面（左端面）１３ｂは、軒げた５の側面に以下のようにして固定されている。すなわち、図３に示すように、傾斜部１３の他端面１３ｂに形成されたスリット２１，２１には接合金具３５が挿入されている。この接合金具３５は平面視略コ字型に形成されたもので、その両片部３５ａ，３５ａがそれぞれ前記スリット２１，２１に挿入され、両片部３５ａ，３５ａをつなぐ連結部３５ｂが傾斜部１３の他端面１３ｂと面一となっている。また、傾斜部１３の他端部側面には、該傾斜部１３の厚さ方向に貫通する貫通孔３６が複数形成されており、接合金具３５の両片部３５ａ，３５ａには貫通孔３６と対向して貫通孔３５ｃや溝３５ｄが形成されている。そして、貫通孔３６に止着部材２６を、傾斜部１３の一方の側面から他方の側面に向けて挿通するとともに、前記貫通孔３５ｃや溝３５ｄに挿通することによって、接合金具３５が傾斜部１３の他端面１３ｂに固定されている。
また、軒げた５には締結ボルト３２が挿通されており、この締結ボルト３２の先端部は接合金具３５の連結部３５ｂに挿通され、この先端部にナット３３が螺合されて締め付けられている。このようにして、ベント梁１０の傾斜部１３の他端面（右端面）１３ｂは軒げた５の側面に固定されている。
【００２６】
なお、ベント梁１１の水平部１２の他端面１２ｂは、束１７ｂの上端側面に上記と同様にして固定され、傾斜部１３の他端面１３ｂは、軒げた５の側面に上記と同様にして固定されている。
また、上記のようなベント梁１０，１１は、前記束７ａ，７ｂに、予め接合板２５が固定された水平部１２の他端面１２ｂを固定し、次に、軒げた５に、接合板２５が固定されていない傾斜部１３の他端面１３ｂを固定するとともに、この傾斜部１３の一端面１３ａを水平部１２の一端面１２ａに、接合板２５と止着部材２６を使用して接合することによって、設置される。
【００２７】
上記のようにして建物躯体１に固定されたベント梁１０を構成する水平部１２と傾斜部１３との接合部には、ベント梁１０と直交する母屋４０の端面が固定されている。母屋４０はベント梁１０の水平部１２と傾斜部１３との接合部と、ベント梁１１の傾斜部１３とに架設されている。
母屋４０の端面４０ａには、凹溝状の切欠部４１が形成されており、この切欠部４１の底面にはスリット４２，４２が形成されている。このスリット４２，４２には接合金具４３が挿入されている。この接合金具４３は平面視略コ字型に形成されたもので、その両片部４３ａ，４３ａがそれぞれ前記スリット４２，４２に挿入され、両片部４３ａ，４３ａをつなぐ連結部４３ｂが母屋４０の端面４０ａと面一となっている。また、母屋４０の端部側面には、該母屋４０の厚さ方向に貫通する貫通孔４４が複数形成されており、接合金具４３の両片部４３ａ，４３ａには貫通孔４４と対向して貫通孔４３ｃや溝が形成されている。そして、貫通孔４４に止着部材２６を、母屋４０の一方の側面から他方の側面に向けて挿通するとともに、前記貫通孔４３ｃや溝に挿通することによって、接合金具４３が母屋４０の端面４０ａに固定されている。
また、ベント梁１０の水平部１２と傾斜部１３との接合部には、締結ボルト３２が挿通されており、この締結ボルト３２の先端部は接合金具４３の連結部４３ｂに挿通され、この先端部にナット３３が螺合されて締め付けられている。このようにして、母屋４０の端面４０ａは、水平部１２と傾斜部１３との接合部に固定されている。
なお、母屋４０の他方の端面も、上記と同様にしてベント梁１１の傾斜部１２の側面に固定されている。
【００２８】
上記のような小屋組構造では、敷げた６に立設された束７ａ，７ｂと軒げた５とにベント梁１０，１１が架設されているので、ベント梁１０，１１の中間部を下方から支持するような束部材等を有さず、接合部の下方に小屋裏空間が確保されるので、部材数や工程数を減少させることができるとともに、小屋裏空間に広い空間を確保し得て、いわゆる小屋裏空間である屋根裏部分の空間の有効利用を図ることができる。
【００２９】
以上のように本実施の形態によれば、ベント梁１０，１１を構成する水平部１２と傾斜部１３のそれぞれの一端面１２ａ，１３ａに形成されている第１溝１４と第２溝１８とに接合板２５を挿入し、止着部材２６を水平部１２と傾斜部１３のそれぞれの一方の側面から他方の側面に向けて挿通して接合板２５を貫通させて、該接合板２５を水平部１２と傾斜部１３に固定するので、接合板２５と止着部材２６を用いて、水平部１２と傾斜部１３とを現場で容易に接合できる。つまり、ベント梁１０，１１を現場で容易に設置できる。
また、現場で水平部１２と傾斜部１３とを接合できるので、水平部１２と傾斜部１３とをそれぞれクレーン等で安定的に吊り下げて建物躯体１に取り付けることができる。
さらに、水平部１２と傾斜部１３とを現場で容易に接合できるので、ベント梁１０，１１を水平部１２と傾斜部１３とに分割して搬送できるとともに、水平部１２と傾斜部１３との接合部となる部分に従来のようなガセットがないので、スペーサを介在させたりするなどの手間がかからない。
【００３０】
また、接合板２５が水平部１２に予め固定されており、現場で傾斜部１３に固定されるので、接合板２５の水平部１２への固定作業の現場で省略できるので、現場での水平部１２と傾斜部１３の接合作業が容易となる。
加えて、水平部１２と傾斜部１３との接合部に母屋４０が固定されているので、該接合部の強度を向上させることができるとともに、ベント梁１０，１１の設置状態が安定的なものとなる。
【００３１】
なお、本実施の形態では、水平部１２に予め接合板２５を固定したが、これに代えて傾斜部１３に予め接合板２５を固定してもよい。また、接合板２５を予め水平部１２と傾斜部１３との双方に固定しておかず、現場で水平部１２と傾斜部１３とに接合板２５を固定して接合してもよい。
また、本実施の形態では、水平部１２と傾斜部１３とを接合する接合板２５を２枚使用したが、接合板の枚数は適宜変更してもよい。例えば、接合板を厚くすれば、１枚の接合板を用いて接合してもよい。
【図面の簡単な説明】
【００３２】
【図１】本発明に係る小屋組構造の一例を示す斜視図である。
【図２】本発明に係るベント梁の一例を示すもので、該ベント梁を架設した状態を示す側面図である。
【図３】同、ベント梁を架設した状態を示す平面図である。
【図４】同、ベント梁の分解斜視図である。
【符号の説明】
【００３３】
１  建物躯体
５  軒げた（第２の支持構造体）
６  敷げた（第１の支持構造体）
７ａ，７ｂ（第１の支持構造体）
１０，１１  ベント梁
１２  水平部
１２ａ  一端面
１３  傾斜部
１３ａ  一端面
１４  第１溝
１８  第２溝
２５  接合板
２６  止着部材
４０  母屋
【図１】
2007211509.tif 000003
【図２】
2007211509.tif 000004
【図３】
2007211509.tif 000005
【図４】
2007211509.tif 000006